(57)【要約】【課題】電子部品とコネクタが収納された電子機器ケースの外部からコネクタの嵌合状態を確認できるコントロールセンタ用電子機器を得る。【解決手段】コントロールセンタ１の制御ユニット５内に、負荷の開閉・保護用の主回路機器と共に収容されたコントロールセンタ用電子機器であって、電子機器である保護制御リレー９は、ヒンジ１３により開閉可能な前面ケース１１と裏面ケース１２とからなる電子機器ケース１０の両ケース１１，１２に電子部品が収納され、前面ケース１１のスイッチ基板２０に第１のコネクタ２１を配置し、裏面ケース１２側のベース基板１４に第１のコネクタ２１と嵌合する第２のコネクタ２２を配置し、両ケース１１，１２が閉じられた状態で両コネクタ２１，２２の嵌合状態を確認するための覗き窓２３を、前面ケース１１に設けた。【選択図】図２
2010259221.tif 000002
【特許請求の範囲】
【請求項１】
コントロールセンタの制御ユニット内に、負荷の開閉・保護用の主回路機器と共に収容されたコントロールセンタ用電子機器において、
前記電子機器は、ヒンジにより開閉可能な前面ケースと裏面ケースとからなる電子機器ケースの前記両ケースに電子部品が収納されて構成され、前記前面ケースに収納された前記電子部品の第１のコネクタが前記前面ケース側の基板に配置され、前記第１のコネクタと嵌合する第２のコネクタが前記裏面ケース側の基板に配置され、前記両ケースが閉じられた状態で前記両コネクタの嵌合状態を確認するための覗き窓が、前記前面ケースに設けられていることを特徴とするコントロールセンタ用電子機器。
【請求項２】
請求項１記載のコントロールセンタ用電子機器において、
前記電子機器は、前記負荷の制御用電子式リレーと前記負荷の状態を表示するＬＣＤを備えた保護制御リレーであることを特徴とするコントロールセンタ用電子機器。
【発明の詳細な説明】
【技術分野】
【０００１】
この発明は、電力用プラント等に使用されるモータの起動制御・保護などを行うコントロールセンタに内蔵された電子機器に関するものである。
【背景技術】
【０００２】
コントロールセンタは、主回路開閉器、保護装置及び監視制御器具などをユニット毎にまとめたものを、閉鎖した筐体に集合的に組み込んだ装置である。筐体の内部は、上下複数段に区画されて複数のユニット室が形成されている。各ユニット室の前面には、開閉扉が設けられており、開閉扉を開けると内部には制御ユニットが前面から引き出し自在に収納されている。
図５に従来のコントロールセンタの制御ユニットの一例を示す。図はコントロールセンタのユニット室から引き出された状態の制御ユニットである。制御ユニット３１は、枠体３２の内部に、主回路電源のＯＮ／ＯＦＦ切替用の遮断器３３を始め、電磁開閉器、変圧器等の主回路機器が収容されている。また、枠体３２の前面側には、操作スイッチや運転状況を表示する表示ランプ等の盤取付器具３６を取り付けた小扉３７が開閉自在に配置されている。小扉３７の裏側には基板や電子部品等の電子機器がケースに収容されて取り付けられている（例えば、特許文献１参照）。
【先行技術文献】
【特許文献】
【０００３】
【特許文献１】特開平１０−２９３６０１号公報（第２−３頁、図１及び図３）
【発明の概要】
【発明が解決しようとする課題】
【０００４】
コントロールセンタは上記のように制御ユニットが引出可能に構成されているので、内部に収容した機器・部品類の保守・点検が必要な場合には、制御ユニット単位で実施できる。ところが、制御ユニットを構成する機器・部品のうちには、寿命が長いものや比較的短いものが混在する。近年では電子部品が多く用いられるようになったので、特に電子部品の中には、遮断器や電磁開閉器等に比べると寿命が短ものがある。
上記の特許文献１のようなコントロールセンタの制御ユニットでは、例えば、小扉３７の内側に収容された表示器のＬＥＤ等がこれに該当する。部品を取り替える場合は、コントロールセンタの開閉扉を開き、小扉３７を開け、更にその裏側のケースを開けて部品を交換した後、通電部のコネクタを接続してケースを元に戻し、小扉を閉じたのちユニット室の開閉扉を閉める手順となる。このとき、ケースを閉じるとコネクタ部の嵌合が外部から確認できないため、嵌合状態が不十分で接続不良が発生する虞があるという問題点があった。
【０００５】
この発明は上記のような問題点を解消するためになされたもので、電子部品とコネクタが収納された電子機器ケースの外部から、コネクタの嵌合状態を確認できるコントロールセンタ用電子機器を得ることを目的とする。
【課題を解決するための手段】
【０００６】
この発明に係るコントロールセンタ用電子機器は、コントロールセンタの制御ユニット内に、負荷の開閉・保護用の主回路機器と共に収容されたコントロールセンタ用電子機器において、電子機器は、ヒンジにより開閉可能な前面ケースと裏面ケースとからなる電子機器ケースの両ケースに電子部品が収納されて構成され、前面ケースに収納された電子部品の第１のコネクタが前面ケース側の基板に配置され、第１のコネクタと嵌合する第２のコネクタが裏面ケース側の基板に配置され、両ケースが閉じられた状態で両コネクタの嵌合状態を確認するための覗き窓が、前面ケースに設けられているものである。
【発明の効果】
【０００７】
この発明のコントロールセンタ用電子機器によれば、前面ケースと裏面ケースとからなる電子機器ケースの両ケースに電子部品が収納され、前面ケース側に配置された第１のコネクタと裏面ケース側に配置された第２のコネクタとの嵌合状態を確認するための覗き窓が、前面ケースに設けられているので、電子部品の取替作業等で電子機器ケースを開閉したとき、コネクタの嵌合状態を外部から確認できるため、コネクタ部の接続不良によるトラブルを防止でき、信頼性の高い電子機器を提供できる。
【図面の簡単な説明】
【０００８】
【図１】この発明の実施の形態１によるコントロールセンタの部分正面図である。
【図２】図１のコントロールセンタの制御ユニットに収容された、電子機器である保護制御リレーの斜視図である。
【図３】図２の矢印III−III方向から見たコネクタ部の断面図である。
【図４】図２の太矢印方向から見た保護制御リレーの底面図である。
【図５】従来のコントロールセンタの制御ユニットの斜視図である。
【発明を実施するための形態】
【０００９】
実施の形態１．
以下、実施の形態１によるコントロールセンタ用電子機器を図に基づいて説明する。
まず、図１によりコントロールセンタの概要から説明する。コントロールセンタ１は、縦長の筐体２の内部が上下方向に複数に区画されて、前面に開口部を有するユニット室３が多段に形成されている。各ユニット室３の前面開口部には開閉扉４が設けられ、ユニット室３を開閉できるようになっており、ユニット室３内には制御ユニット５が引き出し可能に収納されている。
【００１０】
図１は、複数段設けられたユニット室３の内の１段分の正面図であり、前面の開閉扉４を開いて内部の制御ユニット５が見えている状態を示している。制御ユニット５の枠体６内に、主回路電源をＯＮ／ＯＦＦする遮断器７や制御線接続用の端子台８が配置され、その奥側には、図には現れていないが、電磁開閉器，制御トランス等の主回路機器が収容されている。また、前面側には、遮断器７と並んで電子式リレーやＣＰＵ等の電子部品がケースに収容されて構成された保護制御リレー９が枠体６に取り付けられている。この保護制御リレー９が本発明の電子機器に相当するものである。
開閉扉４には、遮断器７の操作ハンドル部に対応する部分と、保護制御リレー９の表示部に対応する部分に窓４ａが設けられ、開閉扉４を閉じると、操作ハンドル部と表示部が窓４ａから突出するようになっており、外部から操作ハンドルを操作できると共に、表示部が視認できるようになっている。
なお、制御ユニット５に収容される機器・部品は、コントロールセンタ１の制御対象となる負荷やユニットの機能によって異なり、図１は一例を示すものである。
【００１１】
図２は、図１に示した保護制御リレー９の詳細を示す斜視図であり、図３は図２のIII−IIIから見た断面図である。また、図４は図２中に太矢印で示す方向から見た保護制御リレー９の底面図である。
保護制御リレー９を構成する電子機器ケース１０は、前面ケース１１と裏面ケース１２とからなり、両ケース１１，１２はヒンジ１３により開閉可能に構成されている。図２では前面ケース１１を開いた状態を示しており、閉じると前面ケース１１の係合爪１１ａが裏面ケース１２に設けた係合穴１２ａに係合して固定されるようになっている。
【００１２】
裏面ケース１２には、ベース基板１４が収容され、ベース基板１４にはＣＰＵを始め、電源回路，入力回路，保護回路等を制御するためのＩＣ等の電子部品１５が搭載されて電子式リレーを構成している。更に、ベース基板１４の前面側には、制御ユニット５の制御対象負荷の運転状況を表示するＬＣＤ１６やＬＥＤ１７を搭載した表示基板１８が着脱可能に取り付けられている。また、次に説明する前面ケース１１側の第１のコネクタ２１と嵌合する第２のコネクタ２２が設けられている。
【００１３】
一方、前面ケース１１には、表示基板１８の表示部であるＬＣＤ１６及びＬＥＤ１７に対応する部分に、透視窓１１ｂが形成されており、前面ケース１１を閉じたとき外側から見えるようになっている。また、前面ケース１１には外側から操作できる制御スイッチやモードスイッチ等のスイッチ部１９（図１参照）が搭載されたスイッチ基板２０が配置されている。スイッチ基板２０にはスイッチ基板２０に搭載された電子部品に信号を授受するための第１のコネクタ２１が設けられており、図３に示すように、前面ケース１１を閉じたときに、裏面ケース１２側のベース基板１４側に設けられている、先に説明した第２のコネクタ２２と嵌合して接続されるようになっている。そして、この両コネクタ２１，２２の嵌合状態をケースの外部から確認するための覗き穴２３が、前面ケース１１に形成されている。
【００１４】
図４の底面図に示すように、前面ケース１１の、第１のコネクタ２１が配置された近傍、すなわち図の場合であれば、前面ケース１１の底部側の側面に、覗き窓２３が形成されている。覗き窓２３は前面ケース１１に矩形状の穴を設け、防塵のために、その穴を透明のプラスチック板、例えば透明のアクリル板で覆って構成している。この覗き窓２３を有する点が、本願発明の特徴部であるので、以下、覗き窓２３の作用について説明する。
【００１５】
近年、コントロールユニットも電子化が進み、多彩な機能をもつ電子式リレーが採用されてきた。これに使用される電子部品は、電磁ノイズや、静電気対策、防塵、防食のため、遮断器や電磁開閉器等の機械部品とは別にして、電子機器専用の密閉構造の電子機器ケースに収容されている。収容された電子部品の中には、相対的に機械部品より寿命が短いものが存在する。例えば、液晶ディスプレイ（ＬＣＤ）やＬＥＤ等である。ＬＣＤが寿命になると表示文字が薄くなり、セグメントの一部が消えたままになる等、視認性が低下する。そこで、このような比較的短寿命の電子部品は、制御ユニットをユニット室に収容した状態で、コントロールセンタの前面側から取替可能に構成されている。
すなわち、本実施の形態の場合であれば、図２で説明したように、ＬＣＤ１６を搭載した表示基板１８がコネクタに挿入されて着脱自在に構成され、開閉可能な電子機器ケース１０に収納されている。
【００１６】
表示基板１８の取り替えは、先ず、制御ユニット５の遮断器７の操作ハンドルを回して電源をＯＦＦにし、制御ユニット５前面の開閉扉４を開く。次に、保護制御リレー９の前面ケース１１の係合爪１１ａ部の係合を解除し前面ケース１１を開ける。次に、表示基板１８をコネクタ部で分離して抜き取り、用意しておいた新品の表示基板１８と交換する。この作業は、前面ケース１１が開いた状態で行うので、表示基板１８のコネクタ部の嵌合状態は目視で確認することができる。交換作業が終われば、前面ケース１１を閉める。このとき、前面ケース１１側の電子部品のコネクタであるスイッチ基板２０に設けられた第１のコネクタ２１が、裏面ケース１２側のベース基板１４に設けられた第２のコネクタ２２と嵌合するようになっている。
【００１７】
この交換作業は、基板ごとの交換なので、ユーザサイドで簡単に行えるメリットはあるが、前面ケース１１を閉じた後にヒンジ１３のがたつきがあったり、両ケース１１，１２の締め付けが完全に行われてなかったりした場合には、両コネクタ２１，２２の嵌合が十分に行えず、接続不良となるおそれがある。このような不具合を防止するために、通電する前に覗き窓２３から両コネクタ２１，２２の嵌合が十分かどうかを観察し、チェックできるようしたものである。
嵌合状態を確認した後、制御ユニット５の開閉扉４を閉め、遮断器７の操作ハンドルをＯＮにする。
【００１８】
なお、上記では、比較的短寿命の電子部品として、表示基板１８の場合を説明したが、前面ケース１１側のスイッチ基板２０そのものも、スイッチ部１９が頻繁に操作されるので、取替対象となる。スイッチ基板２０を基板ごと取り替えたのち、上記と同様手順により両ケース１１，１２を閉じたのちに、両コネクタ２１，２２の嵌合状態を覗き窓２３から確認しチェックする。
【００１９】
また、これまでの説明では、コントロールセンタ用の電子機器は、保護制御リレーとして説明したが、保護制御リレーに限定するものではなく、前面ケース側の電子部品と裏面ケース側の電子部品とがコネクタの嵌合によって接続されるような電子機器全般に適用できる。
【００２０】
以上のように、実施の形態１のコントロールセンタ用電子機器によれば、電子機器は、ヒンジにより開閉可能な前面ケースと裏面ケースとからなる電子機器ケースの両ケースに電子部品が収納されて構成され、前面ケースに収納された電子部品用の第１のコネクタを前面ケース側の基板に配置し、第１のコネクタと嵌合する第２のコネクタを裏面ケース側の基板に配置し、両ケースが閉じられた状態で両コネクタの嵌合状態を確認するための覗き窓を前面ケースに設けたので、電子部品の取替作業等で電子機器ケースを開閉したとき、コネクタの嵌合状態を外部から確認できるため、コネクタ部の接続不良によるトラブルを防止でき、信頼性の高い電子機器を提供できる。
【００２１】
また、電子機器は、負荷の制御用電子式リレーと負荷の状態を表示するＬＣＤを備えた保護制御リレーとしたので、比較的寿命の短いＬＤＣ等の交換作業において、電子機器ケースを開閉したときに、コネクタの嵌合状態を確認できるので、交換作業を確実に行って信頼性の高い電子機器を継続して提供できる。
【符号の説明】
【００２２】
１  コントロールセンタ                ２  筐体
３  ユニット室                        ４  開閉扉
４ａ  窓                              ５  制御ユニット
６  枠体                              ７  遮断器
８  端子台                            ９  保護制御リレー（電子機器）
１０  電子機器ケース                  １１  前面ケース
１１ａ  係合爪                        １１ｂ  透視窓
１２  裏面ケース                      １２ａ  係合穴
１３  ヒンジ                          １４  ベース基板
１５  電子部品                        １６  ＬＣＤ
１７  ＬＥＤ                          １８  表示基板
１９  スイッチ部                      ２０  スイッチ基板
２１  第１のコネクタ                  ２２  第２のコネクタ
２３  覗き窓。
【図１】
2010259221.tif 000003
【図２】
2010259221.tif 000004
【図３】
2010259221.tif 000005
【図４】
2010259221.tif 000006
【図５】
2010259221.tif 000007